(57)【特許請求の範囲】
【請求項１】
谷部の両側端に一定幅の山部を設けていると共にこれらの山部の側端縁に上方に向かって屈曲してなる起立片をそれぞれ形成し、且つ一方の起立片の上端に大形屈折片部を、他方の起立片の上端に該大形屈折片部の下方に内包される大きさの小形屈折片部を形成してなる合成樹脂製馳式折版屋根材において、上記大形屈折片部はその先端部を下方に屈曲させることなく水平状部に形成され、上記小形屈折片部はその上端部を吊子の上端屈曲部の下面に沿う水平状部とこの水平状部の先端から下方に屈折し、金属製キャップにより被覆される止水端部とに形成されていることを特徴とする馳式折版屋根材。
【請求項２】
大形屈折片部は馳加工を施すことなく吊子の外周面に外接するように外向きに開口した多角形状屈折片部に形成されていることを特徴とする請求項１に記載の馳式折版屋根材。
【請求項３】
谷部の両側端に一定幅の山部を設けていると共にこれらの山部の側端縁に上方に向かって屈曲してなる起立片をそれぞれ形成し、且つ一方の起立片の上端に大形屈折片部を、他方の起立片の上端に上端部を吊子の上端屈曲部の下面に沿う水平状部とこの水平状部の先端から下方に屈折した止水端部とに形成している小形屈折片部をそれぞれ設けてなる合成樹脂製馳式折版屋根材同士の接続構造であって、一方の馳式折版屋根材の小形屈折片部の上記水平状部を吊子の上端屈曲部の下面に沿わせると共に他方の馳式折版屋根材の大形屈折片部を上記吊子に被覆させてあり、さらに、下向き開口の金属製キャップの一半部を上記大形屈折片部の外面に被覆させる一方、該金属製キャップの他半部を上記大形屈折片部の先端を変形させることなく大形屈折片部と吊子との先端部及び小形屈折片部の下方に屈折した先端止水端部を内包した状態に圧締してなることを特徴とする馳式折版屋根材の接続構造。
【請求項４】
大形屈折片部は馳加工を施すことなく吊子の外周面に外接するように外向きに開口した多角形状屈折片部に形成されていることを特徴とする請求項３に記載の馳式折版屋根材の接続構造。
【発明の詳細な説明】
【０００１】
【発明の属する技術分野】
本発明は採光用天窓を構成するための合成樹脂製馳式折版屋根材と、その接続構造にに関するものである。
【０００２】
【従来の技術】
従来から、折版屋根に採光を行うための天窓部分を設ける場合、該天窓部分に採光性を有する透明又は半透明のポリカーボネート製の折版屋根材を取付けることが行われている。この場合、谷部の側端部に形成している山部同士が密接状態で重合可能な折版屋根材においては、その重合部の天壁面間をボルトによって一体的に結合しているが、このような接続構造ではボルト孔から雨水が浸入する虞れがあるばかりでなく、ボルトが腐食して長期の使用に供することができないという問題点がある。
【０００３】
このため、図16に示すように、谷部41の上端縁に外側方に向かって水平に屈曲した一定幅の山部42、43を形成していると共に、一方の山部42の突出端に上方に向かって屈曲した起立片44とこの起立片44の上端に下向きに開口46した断面Ｃ字状の屈曲縁部45を形成し、他方の山部43の水平突出端に上方に屈曲した一定高さの起立片47とこの起立片47に水平屈折部48を形成してなるポリカーボネート製折版屋根材40が開発されている。
【０００４】
そして、これらの折版屋根材40、40同士を接続するには、図17に示すように、吊子31の上端屈曲部32に一方の折版屋根材40の屈曲縁部45を被嵌させると共に他方の馳式折版屋根材40の起立片47における上端水平屈折部48を吊子31の上端屈曲部32の下面に当接させた状態にして、下向き開口の断面Ｃ字状金属製キャップ51を被せ、手動馳折り装置又は自走馳折り装置を用いて該金属製キャップ51を圧締めすることにより接続されている。
【０００５】
【発明が解決しようとする課題】
しかしながら、金属製キャップ51を圧締めしても、吊子31に対する一方の折版屋根材40の屈曲縁部45や他方の折版屋根材40の水平屈折部48を吊子31の全長に亘って均一な圧接力でもって圧着させることは困難であり、ある部分においては隙間が生じることになる。そのため、風雨による下方からの吹き上げが生じると、雨水等が他方の折版屋根材40の起立片47の外面を伝って金属製キャップ51内に押し上げられ、吊子31の水平に屈折した上端屈曲部32と同じく水平に屈折した他方の馳式折版屋根材40の上記水平屈折部48との間の隙間を通じて屋根内に浸入し、漏水が生じるという問題点があった。
【０００６】
また、手動馳折り装置又は自走馳折り装置によって圧締めした時に、ポリカーボネート製馳式折版屋根材の屈曲縁部45が吊子31の先端で、接触部分を支点として内側方に冷間状態で屈曲変形させられるために、この屈曲部分に集中荷重による大きな残留内部応力の発生によりクラック等が生じて長期間の使用に耐えられなくなる虞れがあり、その上、金属製キャップ51と馳式折版屋根材40の屈曲縁部45とを一体的に圧締めするものであるから、従来の馳折り装置では能力不足となって精度のよい確実な圧締加工が行えない場合が生じるという問題点があった。
【０００７】
本発明はこのような問題点に鑑みてなされたもので、その目的とするところは雨水等の浸入を確実に防止し得ると共に内部に集中的な残留応力を生じさせることなく互いの接続を可能にし得る合成樹脂製の馳式折版屋根材とその接続構造を提供するにある。
【０００８】
【発明が解決しようとする課題】
上記目的を達成するために、本発明の合成樹脂製馳式折版屋根材は、請求項１に記載したように、谷部の両側端に一定幅の山部を設けていると共にこれらの山部の側端縁に上方に向かって屈曲してなる起立片をそれぞれ形成し、且つ一方の起立片の上端に大形屈折片部を、他方の起立片の上端に該大形屈折片部の下方に内包される大きさの小形屈折片部を形成してなる合成樹脂製馳式折版屋根材において、上記大形屈折片部はその先端部を下方に屈曲させることなく水平状部に形成され、上記小形屈折片部はその上端部を吊子の上端屈曲部の下面に沿う水平状部とこの水平状部の先端から下方に屈折し、金属製キャップにより被覆される止水端部とに形成されている構造としている。
【０００９】
上記合成樹脂製馳式折版屋根材において、請求項２に係る発明は、上記大形屈折片部の形状を、馳加工を施すことなく吊子の外周面に外接するように外向きに開口した多角形状屈折片部に形成していることを特徴としている。
【００１０】
また、請求項３に係る発明は上記馳式折版屋根材同士の接続構造であって、谷部の両側端に一定幅の山部を設けていると共にこれらの山部の側端縁に上方に向かって屈曲してなる起立片をそれぞれ形成し、且つ一方の起立片の上端に大形屈折片部を、他方の起立片の上端に上端部を吊子の上端屈曲部の下面に沿う水平状部とこの水平状部の先端から下方に屈折した止水端部とに形成している小形屈折片部をそれぞれ設けてなる合成樹脂製馳式折版屋根材同士の接続構造であって、一方の馳式折版屋根材の小形屈折片部の上記水平状部を吊子の上端屈曲部の下面に沿わせると共に他方の馳式折版屋根材の大形屈折片部を上記吊子に被覆させてあり、さらに、下向き開口の金属製キャップの一半部を上記大形屈折片部の外面に被覆させる一方、該金属製キャップの他半部を上記大形屈折片部の先端を変形させることなく大形屈折片部と吊子との先端部及び小形屈折片部の下方に屈折した先端止水端部を内包した状態に圧締してなることを特徴としている。
【００１１】
この馳式折版屋根材同士の接続構造において、請求項４に係る発明は請求項２に記載した発明と同じく、上記大形屈折片部の形状を、馳加工を施すことなく吊子の外周面に外接するように外向きに開口した多角形状屈折片部に形成した構造としている。
【００１２】
【作用】
風雨による下方からの吹き上げが生じた場合、雨水等が金属製キャップの先端部と馳式折版屋根材における小形屈折片部を有する起立片との間の隙間を通じて金属製キャップ内に浸入するが、雨水が小形屈折片部の水平状部の下面を伝った時に、この水平状部の先端から下方に屈折している止水端部に流突し、再び、金属製キャップと起立片との隙間側に押し戻されることになる。従って、雨水が吊子の上端屈曲部の下面と小形屈折片部の水平状部の上面との接合部にまで達することはなく、そのため、この接合部を通じての屋根内への雨水の浸入による漏水が確実に防止することができる。
【００１３】
また、合成樹脂製馳式折版屋根材は、その一方の山部の端縁における起立片の上端に形成した大形屈折片部の先端部を水平状部とし、この水平状部を屈曲させることなく隣接する馳式折版屋根材の他方の山部の端部における起立片の上端に形成した小形屈折片部に吊子を介して被覆してあり、さらに、下向き開口の金属製キャップの一半部を上記大形屈折片部の外面に被覆させる一方、該金属製キャップの他半部を上記大形屈折片部の先端を変形させることなく大小屈折片部と吊子との先端部を内包する方向に圧締してなるものであるから、金属製キャップのみを圧締めすることにより馳式折版屋根材同士の接続が可能となり、手動馳折り装置又は自走馳折り装置に必要以上の大きな圧締力を要求することなく簡単にして効率よく確実な接続が行えると共に金属製キャップの圧締時には大形屈折片部に局部的な集中荷重が作用することなく、従って、大きな残留応力が生じる虞れもなく、長期の使用に供することができる。
【００１４】
さらに、上記合成樹脂製馳式折版屋根において、上記大形屈折片部の形状を、馳加工を施すことなく吊子の外周面に外接するように外向きに開口した多角形状屈折片部に形成しておくことにより、採光用天窓の施工時に、この大形屈折片部を吊子の上端屈曲部に被せた場合、多角形状に屈折した各屈折片部が吊子に対して全長に亘って馴染み性良く線接触状態に内接し、雨水の浸透を確実に防止し得る水密性に優れた接続構造を構成することができる上に、大形屈折片部に馳加工を施すことなく吊子の外周面に該大形屈折片部を簡単且つ精度よく被覆させることができる。
【００１５】
【発明の実施の形態】
次に本発明の具体的な実施の形態を図面に基づいて説明する。図１は、平面縦長長方形状の透明ないしは半透明の合成樹脂製馳式折版屋根材Ａの正面図であって、その中央部を全長に亘って一定幅の谷部１に形成していると共にこの谷部１の両側縁を斜め上方に向かって屈折させることにより該谷部１の両側方に一定幅と高さを有する傾斜板部２、３に形成し、この両傾斜板部２、３の上端縁を外側方に向かって水平に屈曲させて一定幅の山部４、５を形成している。さらに、これらの山部４、５の外側端部を上方に屈折させて一定高さの垂直な起立片６、７をそれぞれ形成していると共に、一方の山部４の起立片６の上端に半円形状の面に沿うように多角形状に屈折し且つ外向きに開口した大形屈折片部８を形成していると共に他方の山部５の起立片７の上端に、後述する吊子12の上端屈曲部12a における水平先端部12b の下面に沿う水平状部9aとこの水平状部9aの先端から下方に屈折した止水端部9bとからなる小形屈折片部９を形成してなるものである。
【００１６】
なお、図１に示した１つの谷部を有する谷部の構造に代えて、例えば谷部の底板部の側縁に斜め外側方に向かって屈曲形成した傾斜板部の上端縁に形成している外側方に向かって水平に屈曲形成してなる一定幅の山部を介して二つもしくはそれ以上の谷部が連続してなる複数の谷部を有する上記形態の合成樹脂製馳式折版屋根材を必要に応じて適用してもよい。
【００１７】
上記馳式折版屋根材Ａにおいて起立片６、７の上端にそれぞれ形成している大形屈折片部８と小形屈折片部９との形状をさらに詳しく説明すると、大形屈折片部８は平たい小幅の屈折部8a〜8dを順次鈍角な角度（約130 度）でもって屈折させ且つその先端部の屈折部8dを下方に屈曲させることなく水平状の屈折部に形成してなるものであり、水平状部9aと止水端部9bとからなる上記小形屈折片部９はその幅を大形屈折片部８における上記水平先端部を形成している屈折部8dの幅に略等しく形成されている。また、上端にこの小形屈折片部９を一体に設けている起立片７の上半部は下半部に対して外側方に傾斜した傾斜部7aに形成している。
【００１８】
このように形成した馳式折版屋根材Ａは合成樹脂製屋根材としてポリカーボネート樹脂の成形品が広く使用されているであるが、ポリカーボネート樹脂以外の合成樹脂、例えば、アクリル樹脂、塩化ビニル樹脂、ポリエステル樹脂、或いはその他の共重合体樹脂、変性樹脂、ガラス繊維強化樹脂等より成形されたものであってもよい。
【００１９】
上記合成樹脂製馳式折版屋根材Ａは透明ないしは半透明であって、天窓などの採光材として使用される。例えば、図２に示すように鉄板などの金属製折版屋根材Ｂを複数列、組み合わせ接続してなる折版屋根において、その屋根の一部を切欠いて矩形状の開口部を設け、この開口部に該合成樹脂製馳式折版屋根材Ａを張設することによって採光用天窓が形成される。
【００２０】
複数枚の合成樹脂製馳式折版屋根材Ａを順次接続することにより大面積の採光用天窓を構成した場合における隣接する馳式折版屋根材Ａ、Ａ同士は次のような接続構造を有している。即ち、図３に示すように、受梁10（図２に示す）上のタイトフレーム11にその下端水平板部をボルトによって固定された吊子12の両側面に一方の馳式折版屋根材Ａの起立片６と他方の馳式折版屋根材Ａの起立片７とをそれぞれ接合状態に配すると共に、一方の起立片６の大形屈折片部８における水平屈折部8dの下面と他方の起立片７の小形屈折片部９における上記水平状部9aの上面とを吊子12の上端屈曲部12a における水平先端部12b の上下面に面接触状態でそれぞれ重ね合わせた状態で金属製キャップ13を被せることにより、吊子12の上端屈曲部12a と両馳式折版屋根材Ａ、Ａの大小形屈折片部８、９とを一体に固定している。
【００２１】
吊子12は起立片部12c と、この起立片部12c の上端に一体に形成されている円弧状に屈曲した上記上端屈曲部12a とを有し、且つこの上端屈曲部12a の先端部を上記小形屈折片部９における水平状部9aの幅に略等しい幅を有する水平先端部12b に形成してなるもので、この吊子12の長手方向に間隔を有して設けられている複数の受梁10上のそれぞれのタイトフレーム11にこの吊子12の下端水平板部をボルトによって固定されている。
【００２２】
金属製キャップ13はその幅方向の一半部13a を上記馳式折版屋根材Ａの大形屈折片部６の外面に接するように全長に亘って円弧状に湾曲させていると共に該一半部13a の上端部を上記大形屈折片部８における水平屈折部8dの上面に面接触する水平部13a'に形成してあり、この水平部13a'に連なる他半部13b を、吊子12の先端面とこの吊子12の水平先端部12b の上面に重ね合わせている馳式折版屋根材Ａの大形屈折片部８の先端面及び吊子12の水平先端部12b の下面に重ね合わせている馳式折版屋根材Ａの小形屈折片部９の先端から下方に屈折した止水端部9bとを被覆する円弧状屈曲部に形成している。さらに、この金属製キャップ13の両側下端部は、馳式折版屋根材Ａ、Ａの起立片６、７の外側面に圧接させる垂下端部13c 、13d に形成している。なお、この金属製キャップ13は、馳式折版屋根材Ａ、Ａの大小形屈折片部８、９に被せる前には、その両側垂下端部13c 、13d 間を拡開させた形状に形成してその被せ作業が容易に行えるように構成している。
【００２３】
このように形成している金属製キャップ13は、その開口端から上記吊子12の上端屈曲部12a に外接している馳式折版屋根材Ａにおける大形屈折片部８に被せてその円弧状に湾曲している一半部13a の内周面を大形屈折片部８の各屈折部8a〜8dの角部に内接させると共に該金属製キャップ13の水平部13a'の下面を先端屈折部8dの上面に面接触状態に重ね合わせ、さらに、上記円弧状に湾曲した他半部13b によって上述したように大形屈折片部８の先端面から吊子12の先端面を介して小形屈折片部９の止水端部9bを被覆したのち、手動馳折り装置又は自走馳折り装置（図示せず）を用いて金属製キャップ13の開口端をその開口幅が狭まる方向に圧締めし、一半部13a と他半部13b との垂下端部13c 、13d を吊子12の両側面に接合している馳式折版屋根材Ａ、Ａの起立片６、７にそれぞれ圧着させることにより、ボルトを使用することなく、この金属製キャップ12によって隣接する馳式折版屋根材Ａ、Ａ同士を吊子９を介して接続させた構造としている。
【００２４】
上記のように、馳式折版屋根材Ａにおける一方の起立片６の上端部に形成している大形屈折片部８は、吊子12における上記円弧状に屈曲した上端屈曲部12a に沿って多角形状に屈折させているので、この大形屈折片部８を吊子12の上端屈曲部12a に被せるだけで、馳加工を施すことなくその各屈折部8a〜8dを吊子12の上端屈曲部12a に外接させることができると共に、多角形に形成しているので、屈折部によって剛性が向上し、且つ吊子12の全長に亘って真っ直ぐに接合しやすくて被せ作業が正確且つ容易に行えるものであり、その上、各屈折部8a〜8dの角部が金属製キャップ13の円弧状に湾曲した一半部の内周面に全長に亘って線接触状態に内接して、大形屈折片部８と金属製キャップ13との間から雨水が浸入するのを確実に防止し得る水密性に優れた接続構造を構成することができる。
【００２５】
さらに、金属製キャップ13の上記円弧状に湾曲した他半部13b によって吊子12の先端面とこの吊子12の上下面に重ね合わせている馳式折版屋根材Ａ、Ａの大小形屈折片部８、９の先端面とを被覆させる際に、これらの先端面、即ち、吊子12の先端面とこの吊子12の水平先端部12b の上面に重ね合わせている馳式折版屋根材Ａの大形屈折片部８の先端面及び吊子12の水平先端部12b の下面に重ね合わせている馳式折版屋根材Ａの小形屈折片部９の先端から下方に屈折した止水端部9bの外面とに亘って一定幅を有する帯状のパッキン14を配設し、金属製キャップ13の圧締めにより該金属製キャップ13の他半部13b の内周面と大形屈折片部８の水平状部9aの先端面から小形屈折片部９の止水端部9bの外面に亘ってパッキン14を介装した一層良好な水密構造を構成している。
【００２６】
なお、金属製キャップ13は、圧締めする前の一半部13a の形状を馳式折版屋根材Ａにおける上記大形屈折片部８の外周面に接することなく該外周面に対して隙間が生じるように緩やかに湾曲させた形状としておき、圧締めすることによってその一半部13a を馳式折版屋根材Ａの大形屈折片部８の屈折部8a〜8dに内接させるように構成しておいてもよく、いずれにしても、馳式折版屋根材Ａの大形屈折片部８は吊子12の屈曲部12a の外周面に接しているので、金属製キャップ13の圧締時においても変形する虞れはなく、大形屈折片部８に応力が加わらず、従って残留歪みは残らない。
【００２７】
このように構成したので、図４に示すように、一方の馳式折版屋根材Ａの山部４上に風雨による吹き上げが生じた場合、該山部４上の雨水が金属製キャップ13の一方の垂下端部13c と起立片６との間の隙間を通じて浸入するが、該起立片６の上端部に形成している大形屈折片部８の各屈折部8a〜8dの角部が金属製キャップ13の円弧状に湾曲した一半部の内周面に全長に亘って線接触状態に内接しているので、雨水がそれ以上内部に浸入するのを一層確実に阻止されるものである。
【００２８】
また、他方の馳式折版屋根材Ａの山部５上に風雨による吹き上げが生じた場合には、該山部５上の雨水が金属製キャップ13の他方の垂下端部13d と起立片７との間の隙間を通じて浸入するが、雨水が小形屈折片部９の水平状部9aの下面を伝ってこの水平状部9aの先端から下方に屈折している止水端部9bに達した時にこの止水端部9bの内側面に沿って下方に流下し、再び、金属製キャップ13と起立片７との隙間側に押し戻されるので、雨水が吊子12の水平先端部12b の下面と小形屈折片部９の水平状部9aの上面との隙間を通じて屋根内に浸入する虞れはない。さらに、上記のように金属製キャップ13の他半部13b と、吊子12の先端面及びこの吊子12の上下面に重ね合わせている馳式折版屋根材Ａ、Ａの大小形屈折片部８、９の先端面との間にパッキン14を介在させておくことによって一層、良好な水密性を発揮させることができる。なお、このパッキン14は必ずしも設けておく必要はない。
【００２９】
次に、上記実施例においては、馳式折版屋根材Ａの小形屈折片部９を有する起立片７側において、該起立片７の上半部の傾斜部7aに形成してこの傾斜部7aと小形屈折片部９との連設部を円弧状に湾曲させながら水平方向に屈折させることにより小形屈折片部９の水平状部9aを形成しているが、図５に示すように、小形屈折片部９の水平状部9aの基端に連設する起立片７の上半部を吊子12の上端屈曲部12a の内側面に密接する円弧状湾曲面9cに形成しておいてもよい。また、小形屈折片部９における水平状部9aの先端から下方に屈折している止水端部9bの下端縁部を図６に示すように吊子12側に向かって屈折させておいてもよく、図７に示すように、水平状部9aの先端から止水端部9bを起立片７に向かって斜め下方に傾斜させておいてもよい。
【００３０】
さらに、上記いずれの実施例においても一方の起立片６の上端に形成している大形屈折片部８を多角形状に形成しているが、図８、図９に示すように、内外周面を吊子12の上端屈曲部12a の外周面と金属製キャップ13の内周面とにそれぞれ面接触する先端部が水平状部8d' に形成された半円弧状の屈曲部8a' に形成しておいてもよい。その他の構造は上記実施例と同様であるので、同一部分には同一符号を付して詳細な説明を省略する。なお、この図８、図９に示した実施例においても、小形屈折片部９における水平状部9aの先端から下方に屈折している止水端部9bの形状については上述した構成に変更してもよいことは勿論である。
【００３１】
図10は本発明の合成樹脂製馳式折版屋根材の別な構造を示すもので、上記各馳式折版屋根材Ａにおいては、起立片６、７の上端にそれぞれ連設してなる大小形屈折片部８、９を半円弧状に沿った湾曲形状、即ち、丸馳形状に形成したが、この実施例の合成樹脂製馳式折版屋根材A'においては角馳形状に形成し、その小形屈折片部9Aの先端に下方に屈折した止水端部9b’を設けた構造としているものである。
【００３２】
即ち、谷部１の両側に傾斜板部２、３を介して該傾斜板部２、３の上端部に形成した一定幅の山部４、５の側端縁に上方に向かって屈折してなる一定高さの垂直な起立片６、７を形成し、一方の起立片６の上端部を外側方に向かって直角方向に屈折させて一定幅を有する水平大形屈折片部8Aに形成していると共に、他方の起立片７の上端部を内側方に向かって直角方向に屈折させて上記水平大形屈折片部8Aよりも小幅の水平小形屈折片部9Aを形成し、この水平小形屈折片部9Aの先端部を下方に屈折させて止水端部9b' に形成してなるものである。
【００３３】
このように構成した合成樹脂製馳式折版屋根材A'、A'同士の接続構造は、図11に示すように、受梁（図示せず）上のタイトフレーム11にその下端水平板部をボルトによって固定された長尺の吊子12A を介して一方の馳式折版屋根材A'の起立片６及び大形屈折片部8Aと、他方の馳式折版屋根材A'の起立片７及び小形屈折片部9Aとを面接触状態で重ね合わせられている。
【００３４】
吊子12A はその上半部を垂直な起立片部12c に形成していると共にこの起立片部12c の上端を外側方に直角に屈折して一定幅を有する水平先端部12b に形成してあり、この吊子12A の起立片部12c の内外側面に隣接する馳式折版屋根材A'、A'の起立片６、７をそれぞれ密接させていると共に一方の馳式折版屋根材A'の水平大形屈折片部8Aの下面を吊子12A の水平先端部12b の上面に密接させ、他方の馳式折版屋根材A'の水平小形屈折片部9Aの上面を吊子12A の水平先端部12b の下面に密接状態で重ね合わせ、且つ、吊子12A の水平先端部12b の先端面と大形屈折片部8Aの先端面及び小形屈折片部9Aから下方に屈折している止水端部9b' の外側面とを面一に合わせた状態で、下向き開口の金属製キャップ13' を被嵌して該金属製キャップ13' の開口部の圧締めにより馳式折版屋根材A'、A'同士の接続構造を構成している。
【００３５】
上記金属製キャップ13' はその一半部13a'を馳式折版屋根材A'の水平大形屈折片部8Aから垂直な起立片６にかけて被覆し得る水平天壁片部121 と垂直脚片部122 とからなる断面逆Ｌ字状に形成し、他半部13b'を該一半部13a'の水平天壁片部121 の端縁から下方に向かって直角に屈曲した垂直上脚片部123 とこの垂直上脚片部123 の下端から内側方に屈折してなる下脚片部124 とからなり、上記水平天壁板部121 と垂直脚片部122 とを馳式折版屋根材A'の水平大形屈折片部8Aから垂直な起立片６に密接させると共に垂直上脚片部123 を大形屈折片部8Aの先端面から止水端部9bの外側面にかけて密接させた状態で、手動馳折り装置又は自走馳折り装置（図示せず）を用いて下脚片部124 を内側方に圧締めして馳式折版屋根材A'、A'同士を吊子12A を介して接続させた構造としている。
【００３６】
この構造によれば、合成樹脂製馳式折版屋根材A'や吊子12A 、及び金属製キャップ13' は屈曲部を有することなく角形に形成されているので、構造が簡単で精度のよい馳式折版屋根材A'を作製し得ると共に圧締め作業も容易に且つ精度良く行えるという利点を有する。また、前述の馳式折版屋根材Ａ、Ａ同士を吊子12を介して密接若しくは実質的に面接触させている場合の構造と同様に、金属製キャップ13' の圧締力は長尺である吊子12A の内外側面の馳式折版屋根材A'、A'の面を介して該吊子12A によって受け止められるので、該馳式折版屋根材A'、A'が変形することはない。
【００３７】
なお、吊子12A の水平先端部12b の先端面と大形屈折片部8Aの先端面及び小形屈折片部9Aから下方に屈折している止水端部9b' の外側面とからなる垂直な面と金属製キャップ13' の垂直上脚片部123 との間に帯状のパッキンを介装して水密構造を構成しておいてもよい。このようにパッキンを設けておくと、一方の馳式折版屋根材A'の山部４上に風雨による吹き上げが生じた場合に、該山部４上の雨水が金属製キャップ13' の下脚片部124 の下端と起立片６との間の隙間を通じて浸入しても、このパッキンによって雨水がそれ以上内部に浸入するのを一層確実に阻止することができる。
【００３８】
また、他方の馳式折版屋根材A'の山部５上に風雨による吹き上げが生じた場合には、該山部５上の雨水が金属製キャップ13' の下脚片部124 の先端と起立片７との間の隙間を通じて浸入するが、雨水が起立片７の水平小形屈折片部9Aの下面を伝ってこの水平小形屈折片部9Aの先端から下方に屈折している止水端部9b' に達した時に、この止水端部9b' の内側面に沿って下方に流下し、再び、金属製キャップ13' の下脚片部124 と起立片７との隙間側に押し戻されるので、雨水が吊子12A の水平先端部12b の下面と水平小形屈折片部9Aの上面との隙間を通じて屋根内に浸入する虞れはない。
【００３９】
なお、上記構成の馳式折版屋根材A'において、水平小形屈折片部9Aの先端から下方に屈折している止水端部9b' の下端縁部を図12に示すように吊子12A 側に向かってさらに屈折させた構造としておいてもよく、また、水平小形屈折片部9Aの先端から斜め下方に傾斜させておいてもよい。
【００４０】
図13は本発明のさらに別な実施例を示すもので、この合成樹脂製馳式折版屋根材A'' は、その一方の起立片６の上端に設けている大形屈折片部を、上記図３〜図７に示した丸馳形状の大形屈折片部８に形成している一方、他方の起立片７の上端に設けている小形屈折片部を、上記図11に示した角馳形状の小形屈折片部9Aに形成しているものである。そして、上記図３〜図７で示した形状と同一形状の吊子12と金属製キャップ13とを用いて吊子12の水平先端部12b の下面に小形屈折片部9Aの上面を当接させると共に金属製キャップ13を、吊子12の上端屈曲部12a に外接している大形屈折片部８に被せてその円弧状に湾曲している一半部13a の内周面を大形屈折片部８の各屈折部8a〜8dの角部に内接させると共に該金属製キャップ13の水平部13a'の下面を先端屈折部8dの上面に面接触状態に重ね合わせ、さらに、上記円弧状に湾曲した他半部13b によって上述したように大形屈折片部８の先端面から吊子12の先端面を介して小形屈折片部9Aの止水端部9bを被覆したのち、手動馳折り装置又は自走馳折り装置（図示せず）を用いて金属製キャップ13の開口端をその開口幅が狭まる方向に圧締めし、一半部13a と他半部13b との垂下端部13c 、13d を吊子12の両側面に接合している馳式折版屋根材A'' 、A'' の起立片６、７にそれぞれ圧着させることにより、隣接する馳式折版屋根材A'' 、A'' 同士を吊子12を介して接続させた構造としている。
【００４１】
なお、上記構成の馳式折版屋根材A'' 、において、水平小形屈折片部9Aの先端から下方に屈折している止水端部9bの下端縁部を図14に示すように吊子12側に向かってさらに屈折させた構造としておいてもよく、また、水平小形屈折片部9Aの先端から斜め下方に傾斜させておいてもよい。さらに、大形屈折片部８を多角形状に形成することなく図15に示すように、内外周面を吊子12の上端屈曲部12a の外周面と金属製キャップ13の内周面とにそれぞれ面接触する先端部が水平状部8d' に形成された半円弧状の屈曲部8a' に形成しておいてもよい。その他の構造については上記実施例と同様であるので、同一部分には同一符号を付して詳細な説明を省略する。なお、また、上記馳式折版屋根材の接続構造は、合成樹脂製馳式折版屋根材同士の接続構造を示しているが、この接続構造に代えて、上記合成樹脂製馳式折版屋根材と金属製馳式折版屋根材との接続構造に適用できることは勿論である。
【００４２】
【発明の効果】
以上のように本発明の合成樹脂製馳式折版屋根材によれば、谷部の両側端に一定幅の山部を設けていると共にこれらの山部の側端縁に上方に向かって屈曲してなる起立片をそれぞれ形成し、且つ一方の起立片の上端に大形屈折片部を、他方の起立片の上端に該大形屈折片部の下方に内包される大きさの小形屈折片部を形成してなる合成樹脂製馳式折版屋根材において、上記大形屈折片部を、その先端部を下方に屈曲させることなく水平状部に形成し、上記小形屈折片部を、その上端部を吊子の上端屈曲部の下面に沿う水平状部とこの水平状部の先端から下方に屈折し、金属製キャップにより被覆される止水端部とに形成しいるので、一方の馳式折版屋根材の小形屈折片部の上記水平状部を吊子の上端屈曲部の下面に沿わせると共に他方の馳式折版屋根材の大形屈折片部を上記吊子に被覆させた状態にして金属製キャップを圧締めすることにより馳式折版屋根材同士を接続してなる天窓構造とした場合、雨水等が金属製キャップの先端部と馳式折版屋根材における小形屈折片部を有する起立片との間の隙間を通じて浸入しても、小形屈折片部の水平状部の先端から下方に屈折している止水端部によってそれ以上の浸入を確実に防止することができ、従って、雨水が吊子の上端屈曲部の下面と小形屈折片部の水平状部の上面との接合部にまで達することはなく、屋根内への雨水の浸入による漏水を確実に防止することができる。
【００４３】
さらに、金属製キャップのみを圧締めすることにより馳式折版屋根材同士の接続が可能となり、手動馳折り装置又は自走馳折り装置に必要以上の大きな圧締力を要求することなく簡単にして効率よく確実な接続が行えると共に金属製キャップの圧締時には大小形屈折片部に局部的な集中荷重が作用することなく、従って、大きな残留応力が生じる虞れもなく、長期の使用に耐えることができる馳式折版屋根構造を構築することができるものである。
【００４４】
また、請求項２及び請求項４に係る発明によれば、上記大形屈折片部の形状を、馳加工を施すことなく吊子の外周面に外接するように外向きに開口した多角形状屈折片部に形成しているので、採光用天窓の施工時に、この大形屈折片部を吊子の上端屈曲部に被せた場合、多角形状に屈折した各屈折片部が吊子に対して全長に亘って馴染み性良く線接触状態に内接し、雨水の浸透を一層確実に防止し得る水密性に優れた接続構造を構成することができる上に、大形屈折片部に馳加工を施すことなく吊子の外周面に該大形屈折片部を簡単且つ精度よく被覆させることができる。
【図面の簡単な説明】
【図１】合成樹脂製折版屋根材の正面図、
【図２】採光用天窓部分の簡略縦断正面図、
【図３】合成樹脂製折版屋根材同士の接続構造を示す縦断正面図、
【図４】吹き上げが生じた場合の止水状態を説明するための縦断正面図、
【図５】本発明の変形例を示す縦断正面図、
【図６】止水端部の下端部を内側方に屈折させた構造を示す縦断正面図、
【図７】止水端部を斜め内側方に屈性させた構造を示す縦断正面図、
【図８】大形屈折片部を半円形状に屈曲させた構造を示す縦断正面図、
【図９】その変形例をしめす縦断正面図、
【図１０】本発明の別な実施例を示す合成樹脂製折版屋根材の正面図、
【図１１】その合成樹脂製折版屋根材同士の接続構造を示す縦断正面図、
【図１２】止水端部の下端部を内側方に屈折させた構造を示す縦断正面図、
【図１３】本発明の更に別な実施例の接続構造を示す縦断正面図、
【図１４】止水端部の下端部を内側方に屈折させた構造を示す縦断正面図、
【図１５】大形屈折片部を半円形状に屈曲させた構造を示す縦断正面図、
【図１６】従来例を示す合成樹脂製折版屋根材の正面図、
【図１７】その接続構造を示す簡略縦断正面図。
【符号の説明】
Ａ  合成樹脂製馳式折版屋根材
１  谷部
４、５  山部
６、７  起立片
８、９  大小形屈折片部
8d  水平屈折部
9a  水平状部
12  吊子
13  金属製キャップ
14  パッキン
【図１】
0004516654.tif 000002
【図２】
0004516654.tif 000003
【図３】
0004516654.tif 000004
【図４】
0004516654.tif 000005
【図５】
0004516654.tif 000006
【図６】
0004516654.tif 000007
【図７】
0004516654.tif 000008
【図８】
0004516654.tif 000009
【図９】
0004516654.tif 000010
【図１０】
0004516654.tif 000011
【図１１】
0004516654.tif 000012
【図１２】
0004516654.tif 000013
【図１３】
0004516654.tif 000014
【図１４】
0004516654.tif 000015
【図１５】
0004516654.tif 000016
【図１６】
0004516654.tif 000017
【図１７】
0004516654.tif 000018